(57)【要約】【課題】リモコンでのセルフタイマーがスタートした後の送信機側からの中止命令を、従来のリモコン送信機を改良する事なく実現するカメラ。【解決手段】リモコン受信後のセルフタイマー中に再受信を行ない、別のリモコン駆動命令信号を受信したら、その実行を行わずカメラ側にてキャンセル（リセット）とみなし、キャンセル命令としてセルフカウントダウンを停止させレリ―ズ中止として処理した後、通常のリモコン受信待機となる（リモコン信号の意味が再受信では動作命令ではなく中止命令と変化する）。【選択図】　　　　図１
2004012491.tif 000002
【特許請求の範囲】
【請求項１】
リモコン送信機からのリモコン信号に応じて動作を行う遠隔操作機能を有するカメラにおいて、リモコン信号に応じてカメラの起動をかける複数のリモコン送信信号と、リモコン信号を受信するリモコン受信手段と、リモコン信号が入力されてから計時を開始しリモコン送信命令の実行に至るまでカウントするタイマーと、タイマー起動後に再度リモコン受信を行う手段と、タイマー中に前記リモコン信号とは異なるリモコン動作信号が入力されるとリモコン動作命令の実行に至らずキャンセル命令として処理するリモコン受信制御機能をもったカメラ。
【請求項２】
リモコン送信機からのリモコン信号に応じて動作を行う遠隔操作機能を有するカメラにおいて、リモコン信号に応じてカメラの起動をかける複数のリモコン送信信号と、リモコン信号を受信するリモコン受信手段と、リモコン信号が入力されてから計時を開始しリモコン送信命令の実行に至るまでカウントする第１のタイマーと、第１のタイマーの残量を知らせる告知手段と、第１のタイマー起動後に計時を開始し第１のタイマー内の所定時間で終了する第２のタイマーと、第２のタイマー終了後にリモコン受信を行う手段と、の構成により、第２のタイマー終了後に前記リモコン信号とは異なるリモコン動作信号が入力されるとリモコン動作命令の実行に至らずキャンセル命令として処理するリモコン受信制御機能をもったカメラ。
【請求項３】
リモコン送信機からのリモコン信号に応じて動作を行なう遠隔操作機能を有するカメラにおいて、リモコン信号に応じてカメラの起動をかける複数のリモコン送信信号と、リモコン信号を受信するリモコン受信手段と、リモコン信号が入力されてから計時を開始しリモコン送信命令の実行に至るまでカウントする第１のタイマーと、第１のタイマーの残量を知らせる告知手段と、第１のタイマー起動後に計時を開始し第１のタイマー内の所定時間で終了する第２のタイマーと、第２のタイマー終了後にリモコン受信を行なう手段と、第２のタイマー終了後に所定時間のリモコン受信が可能となる第３のタイマーと、の構成により、第３のタイマー中に前記リモコン信号とは異なるリモコン動作信号が入力されるとリモコン動作命令の実行に至らずキャンセル命令として処理し、第３のタイマー中にリモコン受信が入力されないと前記リモコン動作命令を実行するリモコン受信制御機能をもったカメラ。
【請求項４】
前記キャンセル命令として処理された後は再度リモコン受信待機状態となる、請求項１、請求項２、請求項３、記載のリモコン受信制御機能をもったカメラ。
【発明の詳細な説明】
【０００１】
【発明の属する技術分野】
本発明は、遠隔操作によりレリーズ等の動作を行えるリモコン手段を備えたカメラの改良に関するものである。
【０００２】
【従来の技術】
本発明に関連する従来技術として、特許登録番号第２７８７２２３号公報に記載されているリモコン送信でのリセット手段、特開平０９−１４６１６７号公報に記載されているリモコン送信後の被写体変化における対応手段、特開平１０−０９０７６１号公報に記載されているリモコン送信後の手動または音声によるキャンセル手段、がある。
【０００３】
カメラから離れた位置にて遠隔操作による撮影を行わせる手段として、リモートコントロール（以下、リモコン）機能の備わったカメラがある。撮影者がリモコン送信横の信号をカメラに向けて送信し、ある程度離れた場所にあるカメラのリモコン受信部が送信された信号を受信することでレリーズ動作にいたるものである。リモコンの送・受信方法として近年のカメラでは小型化を考え、赤外線発光ダイオード（以下、赤外光ＬＥＤ）を使用したものが一般的となっている。
【０００４】
以下に一連の動作を簡略して記す。
【０００５】
１．カメラ側にあるリモコン受信開始ボタン等でカメラはリモコン受付け状態にセット。
【０００６】
２．カメラはリモコン受信待機状態となり一定時間リモコン受信回路を動作させ、あらかじめ取決めた信号（以下、ＩＤ信号）であるリモコン送信信号を受信すると、カメラは測光および測距を行ない通常レリーズ動作を行なう。
【０００７】
３．前記リモコン待機状態の一定時間中は、節電のために制御マイコンの動作クロックを低速（スリープ状態）にしてリモコン受信にて起動がかかるようにし、且つ受信待機時間を一定の時間で終了させることでリモコン受信状態にセットされてからの消し忘れ防止も兼ねる。
【０００８】
４．前記リモコン送信信号のＩＤ信号に信号を付加していくつかの種類にわけることで、受信後すぐにレリーズ動作となる即レリーズモードや、受信後に時間をおいてレリーズ動作となるタイマーレリーズモードなど、送信機側にてあらかじめ設定して送信すればカメラ側にて判別して制御する。
【０００９】
上記４項目にあるタイマーレリーズモードは従来あったセルフタイマーのようなリモコン撮影動作となり、リモコン送信時と実際の撮影時のタイムラグ（２秒〜１０秒）を設けることで、例えばリモコン操作者が被写体となるセルフポートレート撮影のときにリモコン操作者はタイマーカウントダウン中に自由にポーズ決定が行えるといったメリットがある。反して即レリーズモードでは受信後すぐにレリーズ動作となるので、リモコン送信機をカメラに向けている不自然なポーズがそのまま撮影された写真となってしまうことがあった。
【００１０】
タイマーレリーズモード時にはリモコン操作者に受信完了とタイマーカウントダウンを知らせるカメラ側の告知として、音（ブザーなどの発音体）または発光（発光ＬＥＤやランプやストロボなどの発光体）による告知手段を設けたカメラが一般的となっている。
【００１１】
また、他のリモコン従来例として、リモコン送信機側にＩＤ送信を変更できるチャンネル切替え機能を追加して、同一機種のリモコン混信を防ぐために、また、同一機種のカメラを複数並べてリモコンで撮影コントロールする場合等に有効にしたリモコンシステムもある。
【００１２】
【発明が解決しようとする課題】
前記したようにリモコンでのタイマーレリーズモードはカメラから離れた位置からの操作を可能にしたセルフタイマー動作となるが、カメラと離れた位置に撮影者（リモコン操作者）がいるので、タイマーカウントダウンが開始されたのちに撮影キャンセルの命令をカメラに伝えるためには再度カメラ位置に戻って設定しなおさなければならない、といった問題があった。
【００１３】
詳しく言えば、リモコン送信後にカメラの前を障害物が遮るといったような被写体条件が著しく変化した場合やリモコン送信者側にて撮影できる準備が整っていなかった場合に、リモコン操作者は撮影を中止するためにカメラの場所まで移動しリモコン解除スイッチとなるリモコン設定ボタンを押すか、もしくは電源を切ることでリセットさせるために電池を抜くか、などのリモコン解除方法を行なつていたが、数秒のわずかなタイマーカウントダウン中にそれらの行為をおこなうことは困難であり、リモコン解除が間に合わず失敗写真となることが往々にしてあった。
【００１４】
その対策としてリモコン送信機側にキャンセル機能を持たせてリモコン送信械側からの解除を行なわせようとすると、リモコン送信機を新たに変更してシステム化しなければならず、それに付随して選択スイッチなどの追加となり送信機自体が安価にできないことや、従来のリモコン送信機では機能しないなどの欠点があった。
【００１５】
（発明の目的）
本発明の目的は、リモコン送信後のタイマーカウントダウン中にリモコン操作者が離れた位置から自由にキャンセルでき、且つ、意図しないリモコン信号を受信すると自動的にキャンセルされるリモコンシステムを持ったカメラを提供することである。
【００１６】
【課題を解決するための手段】
上記目的を達成するために、請求項１記載の発明は、リモコン送信機からのリモコン信号に応じて撮影動作を行なう遠隔操作機能を有するカメラにおいて、リモコン信号に応じてカメラの起動をかける複数のリモコン送信信号と、リモコン信号を受信するリモコン受信手段と、リモコン信号が入力されてから計時を開始しリモコン送信命令の実行に至るまでカウントするタイマーと、タイマー起動後に再度リモコン受信を行なう手段と、タイマー中に前記リモコン信号とは異なるリモコン動作信号が入力されるとリモコン動作命令の実行に至らずキャンセル命令として処理するリモコン受信制御機能をもったカメラ、とした。上記構成により、リモコン操作者はカメラから離れた位置からリモコン動作の中止命令を出すことができる。
【００１７】
請求項２記載の発明は、リモコン送信機からのリモコン信号に応じて撮影動作を行なう遠隔操作機能を有するカメラにおいて、リモコン信号に応じてカメラの起動をかける複数のリモコン送信信号と、リモコン信号を受信するリモコン受信手段と、リモコン信号が入力されてから計時を開始しリモコン送信命令の実行に至るまでカウントする第１のタイマーと、第１のタイマーの残量を知らせる告知手段と、第１のタイマー起動後に計時を開始し第１のタイマー内の所定時間で終了する第２のタイマーと、第２のタイマー終了後にリモコン受信を行なう手段と、の構成により、第２のタイマー終了後に前記リモコン信号とは異なるリモコン動作信号が入力されるとリモコン動作命令の実行に至らずキャンセル命令として処理するリモコン受信制御機能をもったカメラ、とした。上記構成により、リモコン受信完了およびタイマーのカウントダウンの告知を行なった後に再受信を行なうようにしたので、リモコン送信者の２回目の送信は初回リモコン動作の中止命令の意図があることを明確に判定ができる。
【００１８】
請求項３記載の発明は、リモコン送信機からのリモコン信号に応じて撮影動作を行なう遠隔操作機能を有するカメラにおいて、リモコン信号に応じてカメラの起動をかける複数のリモコン送信信号と、リモコン信号を受信するリモコン受信手段と、リモコン信号が入力されてから計時を開始しリモコン送信命令の実行に至るまでカウントする第１のタイマーと、第１のタイマーの残量を知らせる告知手段と、第１のタイマー起動後に計時を開始し第１のタイマー内の所定時間で終了する第２のタイマーと、第２のタイマー終了後にリモコン受信を行なう手段と、第２のタイマー終了後に所定時間のリモコン受信が可能となる第３のタイマーと、の構成により、第３のタイマー中に前記リモコン信号とは異なるリモコン動作信号が入力されるとリモコン動作命令の実行に至らずキャンセル命令として処理し、第３のタイマー中にリモコン受信が入力されないと前記リモコン動作命令を実行するリモコン受信制御機能をもったカメラ、とした。上記構成により、初回のリモコン受信後のタイマーカウントダウン中にキャンセル待ち受け時間を設け、キャンセル待ち受け時間中にリモコン信号が受信されないとそのまま初回のリモコン動作命令を実行するようにした。
【００１９】
請求項４記載の発明は、前記キャンセル命令として処理された後は再度リモコン受信待機状態となる、請求項１、請求項２、請求項３、記載のリモコン受信制御機能をもったカメラ、とした。上記構成により、リモコン動作の中止命令のあともリモコン受信を継続することができる。
【００２０】
【発明の実施の形態】
以下、本発明を図示の実施形態に基づいて説明する。
【００２１】
（第１の実施形態）
図１は本発明の第１の実施形態を示すカメラのブロック図であり、カメラの構成図として不図示の部分もあるが、本発明に係る構成を抽出して図示している。
【００２２】
図中１はカメラの制御装置であって、例えば内部にＣＰＵ、ＲＯＭ、ＲＡＭ、Ａ／Ｄコンバータ、液晶表示駆動回路等を有した多機能ワンチップマイクロコンピュータであり、ＲＯＭに格納されたプログラムに従ってカメラ本体内の周辺回路と通信を行って各部の動作を制御するＭＰＵであり、本発明に係わるリモコン受信制御もこのＭＰＵ内部のプログラムによって制御される。また、測光や測距を開始するための測光・測距スイッチＳＷ１と、レリーズ動作を開始するためのレリーズスイッチＳＷ２、及び、リモコン受信スタート設定スイッチのＲＥＭＳＷと接続される。ＲＥＭＳＷがオンされるとＭＰＵはリモコンモードとして駆動を開始する。
【００２３】
２はリモコン受信回路部であり、カメラ外装部上に被写体側に向けられて配置されている受光素子（例えば図示したフォトダイオードのＲＥＭＳＰＤ）と受信回路にて構成され、ＭＰＵとの通信によりリモコン受信回路部自体の動作も制御される。例えば、図中ＲＥＭＯＮ命令信号がＭＰＵからリモコン受信回路部に伝達されるとリモコン受信を開始し、受信したリモコン信号はＲＥＭＯＵＴ信号として出力され、その後受信信号のＩＤおよび信号内容をＭＰＵで判定する。
【００２４】
３はリモコン受信告知部であり、前記したようにリモコン操作者に受信完了を知らせるものであり、その告知方法は多種あるが、本実施形態としては発光ダイオードである図中のＲＥＭＬＥＤの構成としている。ＭＰＵからのＬＥＤＯＮ信号の出力によりＲＥＭＬＥＤが発光する。本発明に係わるリモコン受信後のセルフタイマーカウントダウン告知もこのＲＥＭＬＥＤで成される。
【００２５】
４はシャッタ速度や絞り値など、その他さまざまな情報を表示するための液晶表示部であり、前記ＲＥＭＳＷがオン状態に設定されると液晶表示部にリモコン受信状態であることを表示する。
【００２６】
５は焦点位置を検出する測距回路、６は露光量を決定するために測光を行うための測光回路、であり、本実施形態ではリモコン受信後には直ちに測距および測光を行い、その後セルフタイマーカウントダウンの告知表示を行なうようにしている。
【００２７】
以上のようにＭＰＵ周辺に接続された各部の動作はＭＰＵの支配下にあり、プログラムフローチャートおよびタイミングチャートを基にしたＭＰＵによって制御されることを後述する。
【００２８】
図２はリモコン送信機（ａ）とリモコン受信可能なカメラ（ｂ）の概略イメージ図である。
【００２９】
（ａ）のリモコン送信機の外装には一例として３個の押しボタンスイッチが配置されている。図中ＳＷＲＰＷはリモコン送信機の電源スイッチであり、このスイッチを押すと送信機の電源が入り送信スタンバイ状態となる。ＳＷ２ＳとＳＷ１０Ｓはそれぞれリモコン送信開始ボタンであり、ＳＷ２Ｓはリモコンセルフタイマーのカウントダウン値として２秒を設定させるべく、またＳＷ１０Ｓも同様に１０秒を設定させるべく、それぞれのボタンが押されるとカメラヘリモコン送信を開始する。信号内容については後述する。また、ＩＲＬＥＤは赤外発光ダイオードであり、カメラヘ赤外光として信号を送信する媒体である。
【００３０】
（ｂ）はリモコン受信可能なカメラを被写体側から見た配置例を表わしており、前記した図１のブロック図と対応している。図中ＲＥＭＳＷはリモコン受信スタート設定スイッチ、ＲＥＭＳＰＤはリモコン信号受信用となる受光素子のフォトダイオード、ＲＥＭＬＥＤはリモコン受信確認表示とリモコンセルフタイマーカウントダウン表示となる発光ダイオード、である。ＲＥＭＳＰＤとＲＥＭＬＥＤはリモコン撮影時に被写体と正対するようカメラの前面に設置される。また、カメラ上面には測光・測距開始スイッチＳＷ１と、レリーズ動作を開姑するためのレリーズスイッチＳＷ２が配置されている。
【００３１】
図３はリモコン送信信号の一例を表わしている。
【００３２】
（ａ）と（ｂ）は本実施形態としてのリモコンセルフタイマー設定命令信号内容であり、共に命令信号の前にＩＤ信号を付加することでカメラ側にて実行の判断（識別）を行い、ＩＤ信号の終了から次の信号までの時間を計測することでカメラは命令内容が把握できるようになっている。
【００３３】
（ｃ）は（ａ）と（ｂ）で図示した１パルスを拡大した送信バースト波を示しており、通常４０ＫＨｚ近辺の周波数に設定される。カメラはリモコン信号を受信すると、このバースト波を１群のバルスとみなし、リモコン受信回路部よりＲＥＭＯＵＴ信号にてＭＰＵへ出力する。
【００３４】
図中（ａ）はリモコン送信機側のリモコン送信開始ボタンＳＷ２Ｓが押された時の送信波形を示し、ＩＤ信号の後の命令信号が来るまでの時間をあらかじめ取決めた時間Ｔｌとし、カメラ側ではＩＤ識別の後に立ち上がる次の信号がＴｌ時間と合致すればリモコン受信とみなし、セルフタイマー時間２秒後にレリーズを実行する。
【００３５】
同様に（ｂ）はリモコン送信開始ボタンＳＷ１０Ｓが押された時の送信波形を示し、ＩＤ識別の後のＴ２時間をカメラが検出するとセルフタイマー時間１０秒後にレリーズを実行する。
【００３６】
図示したようにＴｌとＴ２の時間は異なっており、リモコン送信機から送信される信号内容はカメラ側ＭＰＵにて容易に区別ができる。
【００３７】
図４は上記した各信号の時間関係を簡易的に表したタイミングチャート図であり、図５・図６・図７はＭＰＵの動作を表したフローチャートであり、図５・図６・図７を基に図４のタイミング動作と共に本実施形態に係わる全体的な流れを説明する。
【００３８】
リモコン撮影を開始するべく、カメラ側に設置されたリモコン受信スタート設定スイッチＲＥＭＳＷがオンされるとＭＰＵは図５のステップ（以下、Ｓ）１００の《リモコンモード》の実行を開始する。
【００３９】
〈Ｓｌ０ｌ〉ＲＥＭＳＷがオンしたことでリモコン受信回路部にＲＥＭＯＮを出力し、リモコン受信回路部の起動をかけ受信状態にセットする。
【００４０】
〈Ｓｌ０２〉液晶表示部にリモコン設定が成されたことをリモコンマークなどで表示する。
【００４１】
〈Ｓｌ０３〉リモコン受信待機時間のカウントを開始する。ここでは４ｍｉｎ．≦ＴＲＥＭＯＮとし、リモコン受信待機時間（ＴＲＥＭＯＮ）を４分タイマーと設定している。→図４（ａ）はリモコン受信待機時間であるＴＲＥＭＯＮを表わす。
【００４２】
〈Ｓｌ０４〉４分経過してもリモコン受信が検出できなかったら、リモコン表示とＲＥＭＯＮ出力をオフし、リモコン設定の解除を行なう。
【００４３】
〈Ｓｌ０５〉リターンしてカメラはスタンバイ状態となる。
【００４４】
〈Ｓｌ０６〉Ｓｌ０３にて４分以内の場合は《リモコン受信待機モード》に移行し、ＭＰＵはスリープ状態となり、その後はリモコン受信（ＲＥＭＯＵＴ信号入力）を検出したら起動を再開する。
【００４５】
図６は《リモコン受信待機モード》のサブルーチンを表わすフローチャートである。
【００４６】
〈Ｓ２００〉上記したリモコン受信待機時間中は、このサブルーチンを実行する。
【００４７】
〈Ｓ２０１〉リモコン送信機側からの受信待ちを表わし、ＲＥＭＯＵＴの出力が検出されるまで継続する。なお、前記したＴＲＥＭＯＮの４分タイマーが経過すると受信待機時間の終了とみなし割り込みをかけ、以下の実行を行なわずに直ちに図５〈Ｓｌ０４〉に移行し、リモコン設定解除した後カメラはスタンバイ状態となる。リモコン受信を確認すると〈Ｓ２０２〉へ移行する。→図４（ｂ）はリモコン送信機側のリモコン送信開始ボタンＳＷ１０Ｓが押された時のリモコン送信信号を表わしている。
【００４８】
〈Ｓ２０２〉受信信号のＩＤ識別を行い、あらかじめ取決めた信号と不一致であれば〈Ｓ２０１〉に戻りリモコン送信機側からの受信待ちとなる。ＩＤ識別判定にて一致すればＩＤフラグ（送信機側チャンネル情報）を立て、次に移行する。
【００４９】
〈Ｓ２０３〉ＩＤ識別が一致したことでカメラは測距と測光を行う。→図４（ｃ）はリモコン信号判定により識別可となり、測距と測光が駆動開始したことを表わしている。
【００５０】
〈Ｓ２０４〉リモコン送信者へのリモコン受信確認告知として、発光ダイオードのＲＥＭＬＥＤを点灯する。
【００５１】
〈Ｓ２０５〉受信信号の内容を判定する。送信された信号が２秒セルフタイマーか１０秒セルフタイマーかを判別し、２秒セルフの場合は２ｓフラグを立て〈Ｓ２０６〉に移行し、１０秒セルフの場合は１０ｓフラグを立て〈Ｓ２０８〉に移行する。
【００５２】
〈Ｓ２０６〉２秒タイマーをスタートする。
【００５３】
〈Ｓ２０７〉リモコン送信者へのリモコンセルフタイマーのカウントダウン確認告知として、発光ダイオードのＲＥＭＬＥＤを点灯する。この場合２秒のカウントダウン発光を開始する。
【００５４】
〈Ｓ２０８〉１０秒タイマーをスタートする。
【００５５】
〈Ｓ２０９〉リモコン送信者へのリモコンセルフタイマーのカウントダウン確認告知として、発光ダイオードのＲＥＭＬＥＤを点灯する。この場合１０秒のカウントダウン発光を開始する。
【００５６】
〈Ｓ２１０〉発光ダイオードＲＥＭＬＥＤが点灯してカウントダウンが開始されると《キャンセル受信待機モード》に移行する。
【００５７】
図７は《キャンセル受信待機モード》のサブルーチンを表わすフローチャートである。〈Ｓ３００〉リモコン受信が確認され、リモコンセルフタイマーのカウントダウンが開始すると、このサブルーチンを実行する。
【００５８】
〈Ｓ３０１〉ここではカウントダウン告知後、リモコン送信者がカウントダウンが始まったことを認識させたうえでキャンセル信号を受信させるために、受信スタート待機時間を持たせている。この時間はＭＰＵにて任意に設定できるので、例えば、１０秒のカウントダウンの開始後２秒間はキャンセル受信を受け付けない、などの設定ができる。
【００５９】
〈Ｓ３０２〉リモコン送信機側からの再度の受信待ちを表わし、ＲＥＭＯＵＴの出力が検出されるまで継続する。なお、このキャンセル受信待機時間は、前記した２ｓセルフタイマー及び１０ｓセルフタイマーの終了間際まで継続し、セルフタイマー中の所定の時間を経過するとキャンセル受信の終了とみなし割り込みをかけ、以下の実行を行なわずに図５〈Ｓ３０５〉に移行し、その後カメラはレリーズ動作を行なう。→図４（ｄ）はキャンセル受信待機中に信号が確認されなかった場合（通常カウントダウン）の発光ダイオードのＲＥＭＬＥＤの点灯制御信号を表わし、この場合、受信告知点灯から１０秒の間欠点灯を行なっている。カウントダウンが進行し残りわずかな時間になると、間欠点灯周期を速くしてリモコン送信者にレリーズ前告知であることを促す。→図４（ｅ）はキャンセル受信が検出されなかった場合のレリーズ制御信号を表わす。→図４（ｆ）はキャンセル受信待機時間を表わし、カウントダウン開始してから所定時間経過後に受信可能となり、カウントダウン終了の所定時間前に受信終了となることを示している。
【００６０】
〈Ｓ３０３〉リモコン受信があると再度受信信号のＩＤ識別を行い、あらかじめ取決めた信号と不一致であれば〈Ｓ３０２〉に戻りリモコン送信機側からの受信待ちとなる。
【００６１】
〈Ｓ３０４〉受信信号の内容を再度判定する。送信された信号が２秒セルフタイマーか１０秒セルフタイマーかを判別し、図６の〈Ｓ２０５〉にて決定された判定フラグと比較する。
【００６２】
〈Ｓ３０５〉再度送信された信号が前回の判定フラグと同じであれば、このルーチンを抜け、その後カメラは通常のリモコンセルフタイマーとしてレリーズ動作を行なう。
【００６３】
〈Ｓ３０６〉再度送信された信号が前回の判定フラグと違うものであれば、キャンセル信号の受信とみなし、キャンセルフラグを立て、直ちにセルフタイマーカウントダウンを停止する。→図４（ｇ）は再受信された信号を表わし、リモコン送信機側のリモコン送信開始ボタンＳＷ２Ｓが押された時のリモコン送信信号を表わしている。→図４（ｈ）は前回の受信内容と比較した後、異なった信号であると判断してキャンセルフラグを立てた状態を表わす。→図４（ｉ）はキャンセルされたときの発光ダイオードのＲＥＭＬＥＤの点灯制御信号を表わしている。
【００６４】
〈Ｓ３０７〉その後図６〈Ｓ２００〉の《リモコン受信待機モード》に移行し、リモコン受信待機時間の終了までリモコン受信を継続させる。→図４（ｊ）はキャンセル受信確認後のリモコン受信待機時間を表わす。
【００６５】
本実施形態では、リモコンセルフタイマー時間を２秒と１０秒の二つの時間を選択するリモコン送信機として説明したが、カメラ側で送信内容の判定ができればよいので、リモコンセルフタイマーの選択時間は複数あってもよい。
【００６６】
以上説明したように本実施形態によれば、リモコン信号を受信してからの動作命令に至るカウントダウン中に再度リモコン受信を行い、再受信されるリモコン信号内容が初期受信されたリモコン信号内容と異なる動作命令であるときキャンセル処理を行うようにしたので、遠距離からのリモコン送信機側から容易に実行中止命令が行える。
【００６７】
さらに、受信側でのリモコン信号処理のみで実現できるので、リモコン送信機側に新たにキャンセルスイッチの追加を必要とせず、従来のリモコン送信機を改良することなくシステムの拡大が可能となる。
【００６８】
（第２の実施形態）
図８は本発明の第２の実施形態を示すカメラのブロック図であり、カメラの基本構成は図１のブロック図で説明したものと同等である。異なる部分はＭＰＵｌに接続されるスイッチとしてＲＥＭＣＨを追加している。
【００６９】
ＲＥＭＣＨはリモコン送信機側にＩＤ変更を可能とするリモコンチャンネルスイッチがある場合、カメラ側にてチャンネルの対応をとるべく設定されるリモコンチャンネル設定スイッチである。チャンネル数に応じて設定ポジションを切り替えるようになっている。識別信号を複数持つことで同一機種のリモコン混信を防ぐことが可能となり、カメラを複数並べてリモコンで時間差をおいて撮影する場合等に有効である。
【００７０】
図９は本発明の第２の実施形態であるリモコン送信機（ａ）とリモコン受信可能なカメラ（ｂ）の概略イメージ図である。基本構成は図２の概略イメージ図で説明したものと同等であり、（ａ）のリモコン送信機側にＩＤ変更用のリモコンチャンネル切替えスイッチＳＷＣＨを追加している。チャンネルの数だけ設定ポジションを持つ。
【００７１】
（ｂ）はカメラ側のリモコンチャンネル設定スイッチＲＥＭＣＨの配置例を示す。
【００７２】
図１０は図９中のＳＷＣＨが切り替わったときのリモコン送信信号の一例を表わしている。
【００７３】
図中（ａ）はＳＷＣＨを仮にチャンネル１側にセットしておき、リモコン送信開始ボタンが押された時の送信波形を示し、（ｂ）はＳＷＣＨを仮にチャンネル２側にセットしておき、同様にリモコン送信開始ボタンが押された送信波形を示している。
【００７４】
波形から明らかなように（ａ）のＩＤ信号１と（ｂ）のＩＤ信号２の時間は異なっており、リモコン送信機側でチャンネルを切り替えて送信するとカメラ側ＭＰＵにて容易に区別ができる。
【００７５】
リモコン受信制御動作は図５と同一であり、図６の〈Ｓ２０２〉にてＲＥＭＣＨはいずれかのチャンネルにセットされた状態で識別される。その他の動作は同じなので説明は割愛する。
【００７６】
図１１は既にリモコン受信を検出したのちキャンセル受信待ちに移行している《キャンセル受信待機モード》のサブルーチンを表わすフローチャートである。
【００７７】
〈Ｓ４００〉リモコン受信が確認され、リモコンセルフタイマーのカウントダウンが開始すると、このサブルーチンを実行する。
【００７８】
〈Ｓ４０１〉受信スタート待機時間を持たせている。
【００７９】
〈Ｓ４０２〉リモコン送信機側からの再度の受信待ちを表わし、ＲＥＭＯＵＴの出力が検出されるまで継続する。
【００８０】
〈Ｓ４０３〉リモコン受信があると再度受信信号のＩＤ識別を行い、あらかじめ取決めた信号（ここでは以前のＲＥＭＣＨ設定内容）と一致すれば〈Ｓ４０４〉に移行する。
【００８１】
〈Ｓ４０４〉再度送信された信号が前回の判定フラグ（ここでは以前のＲＥＭＣＨ設定内容）と同じであれば、このルーチンを抜け、その後カメラは通常のリモコンセルフタイマーとしてレリーズ動作を行なう。
【００８２】
〈Ｓ４０５〉再度送信された信号が前回の判定フラグ（ここでは以前のＲＥＭＣＨ設定内容）と違うものであれば、キャンセル信号の受信とみなし、キャンセルフラグを立て、直ちにセルフタイマーカウントダウンを停止する。
【００８３】
〈Ｓ４０６〉その後図６〈Ｓ２００〉の《リモコン受信待機モード》に移行し、リモコン受信待機時間の終了までリモコン受信を継続させる。
【００８４】
【発明の効果】
以上説明したように本実施形態によれば、リモコン信号を受信してからの動作命令に至るカウントダウン中に再度リモコン受信を行い、再受信されるリモコン信号の識別用ＩＤ内容が初期受信されたリモコン信号のＩＤ内容と異なる動作命令であるときキャンセル処理を行うようにしたので、例えば送信機側にリモコンセルフタイマー設定がひとつしかなくてもＩＤ信号のみで比較可能であり、リモコン送信者はチャンネルを切り替えて送信したことでカメラにキャンセルの意志を伝えられる。
【図面の簡単な説明】
【図１】第１実施形態に係わる、リモコン受信機能を持ったカメラのブロック図。
【図２】第１実施形態に係わる、リモコン送信機とカメラ側リモコン受信関係の配置を示す概略イメージ図。
【図３】第１実施形態に係わる、リモコン送信信号内容を示すタイミングチャート。
【図４】本実施形態のリモコン制御動作を示すタイミングチャート。
【図５】本実施形態でのリモコンモードを示すフローチャート。
【図６】本実施形態でのリモコン受信待機モードを示すフローチャート。
【図７】第１実施形態でのリモコンキャンセル受信待機モードを示すフローチャート。
【図８】第２実施形態に係わる、リモコン受信機能を持ったカメラのブロック図。
【図９】第２実施形態に係わる、リモコン送信機とカメラ側リモコン受信関係の配置を示す概略イメージ図。
【図１０】第２実施形態に係わる、リモコン送信信号内容を示すタイミングチャート。
【図１１】第２実施形態でのリモコンキャンセル受信待機モードを示すフローチャート。
【符号の説明】
１　ＭＰＵ
２　リモコン受信回路部
３　リモコン受信告知部
ＲＥＭＣＨ　リモコンチャンネル設定スイッチ
ＲＥＭＬＥＤ　リモコン受信確認用発光ダイオード
ＲＥＭＳＰＤ　リモコン受光素子
ＲＥＭＳＷ　リモコン受信スタート設定スイッチ
ＳＷ２Ｓ　リモコン送信側２秒タイマー設定スイッチ
ＳＷ１０Ｓ　リモコン送信側１０秒タイマー設定スイッチ
ＳＷＣＨ　リモコン送信側チャンネル設定スイッチ
【図１】
2004012491.tif 000003
【図２】
2004012491.tif 000004
【図３】
2004012491.tif 000005
【図４】
2004012491.tif 000006
【図５】
2004012491.tif 000007
【図６】
2004012491.tif 000008
【図７】
2004012491.tif 000009
【図８】
2004012491.tif 000010
【図９】
2004012491.tif 000011
【図１０】
2004012491.tif 000012
【図１１】
2004012491.tif 000013